(57)【要約】【目的】ワンタッチで簡単、且つ容易に着脱可能なカメラのレンズアタッチメント着脱機構を提供する。【構成】前面にレンズのフィルターやフードまたはレンズキャップ等のアタッチメント本体と一体化して形成された挿着部を設け、該挿着部はカメラの撮影用レンズ鏡筒の最前部内径側に挿着可能な外径を持ち、該挿着部の外周部にスプリング嵌合溝を刻設し、該挿着部の外周部に刻設されたスプリング嵌合溝にリング形状で一カ所に切欠部を有するリング型スプリングを嵌着させた構成とし、前記アタッチメント本体の挿着部がレンズ鏡筒の最前部内径側に挿着されたときアタッチメント本体の挿着部に設けたリング型スプリングが作用してレンズアタッチメントを前記レンズ鏡筒の最前部内径側に係着する。【選択図】　　図１
2004109719.tif 000002
【特許請求の範囲】
【請求項１】
フィルターを挟持したフィルター外枠と一体化して形成された挿着部を設け、
前記挿着部はカメラの撮影用レンズ鏡筒の最前部内径側に挿着可能な外周部を持ち、
該挿着部の外周部にスプリング嵌合溝を刻設し、
該挿着部の外周部に刻設されたスプリング嵌合溝にリング形状で一カ所に切欠部を有するリング型スプリングを嵌着させ、
該リング型スプリングが該切欠部を介して前記スプリング嵌合溝内で円周方向のバネ作用をすることを利用して、前記フィルターの挿着部がカメラの撮影用レンズ鏡筒の最前部内径側に挿着されたときリング型スプリングが働いて最前部内径側に係着しフィルターが前記レンズ鏡筒の最前部に装着され、
該フィルターの取り外しは前記挿着部のリング型スプリングの押圧力に対向した力で抜脱することを特徴とする、
カメラのレンズアタッチメント着脱機構。
【請求項２】
前面にレンズのフード機能やレンズキャップ機能を持つカメラレンズのアタッチメント本体と一体化して形成された挿着部を設け、
前記挿着部はカメラの撮影用レンズ鏡筒の最前部内径側に挿着可能な外周部を持ち、
該挿着部の外周部にスプリング嵌合溝を刻設し、
該挿着部の外周部に刻設されたスプリング嵌合溝にリング形状で一カ所に切欠部を有するリング型スプリングを嵌着させた構成とし、
前記カメラレンズアタッチメント本体挿着部がレンズ鏡筒の最前部内径側に挿着されたときリング型スプリングが作用してレンズアタッチメントを係着するようしたこと、
を特徴とした請求項１記載のカメラのレンズアタッチメント着脱機構。
【発明の詳細な説明】
【０００１】
【発明の属する分野】
本発明はカメラのレンズアタッチメント着脱機構に関するものである。
本発明のカメラ等に於けるレンズアタッチメント着脱機構は、例えば、カメラの撮影レンズ前面に装着するレンズ表面の保護用フィルターや紫外線カット用フィルター、モノクロ用フィルター等、フィルターを撮影レンズ前面に装着するための着脱機構で、カメラのレンズ鏡筒最前部にフィルターを装着、または取り外しの際、該操作がワンタッチで行える着脱機構を提供するものである。
【０００２】
【従来の技術】
カメラの撮影用レンズ鏡筒の最前部内径側には通常、フィルターやフードなど撮影用レンズのアタッチメントを装着するために雌ネジが螺設されており、他方装着されるフィルターやフードなどのアタッチメント側には雄ネジが螺設されており、フィルターやフードなどのアタッチメントをそのネジ部による螺合により着脱している。
【０００３】
而して前記アタッチメントをネジ部により螺合する着脱機構は、フィルターの場合を例にすると次の欠点がある。即ち、カメラの撮影用レンズ鏡筒の最前部に螺設された雌ネジにフィルターの雄ネジを螺着する初めの嵌合操作は、意外と手間取るものであり、独特の勘と操作慣れが必要であり、且つ、ネジ部のネジピッチが細かいため装着するフィルターを何回も回転させて、所定位置に装着する必要がある。
【０００４】
従って初めの雄ネジと雌ネジの嵌合操作を誤ると撮影用レンズとフィルターのネジ山を壊してしまうこともあり、また螺合操作であるため、所定位置での螺着の加減を間違えるとネジ部が圧着されてしまい取り外しに苦労するという不都合な着脱機構であった。
【０００５】
【発明が解決しようとする課題】
本発明は、従来のカメラのフィルター着脱機構が上述の欠点を有し大きな問題点であったことに鑑みてなされたものであり、本発明に係るフィルター着脱機構は撮影現場にて、ワンタッチで簡単、且つ容易に着脱が可能で、又、フィルターの交換も素速く行えて、シャッターチャンスにも即対応できるフィルターの着脱機構を提供することを目的とする。
【０００６】
また、本発明のフィルター着脱機構は、撮影用レンズ鏡筒の最前部内径側に通常的に螺設されたアタッチメント装着用の雌ネジ部に装着されるものであって、本発明のフィルターを装着するために特別なアダプターを特には必要としないので、フィルターのみならず、該フィルターと同一部位に装着されるフードやキャップ等、他のカメラのレンズアタッチメント着脱機構としても十分に利用可能である。
【０００７】
【課題を解決するための手段】
本発明は上記の目的を達成するために、フィルターを挟持したフィルター外枠と一体化して形成された挿着部を設け、該挿着部はカメラの撮影用レンズ鏡筒の最前部内径側雌ネジ部に挿着可能な外径を持ち、該挿着部の外周部にスプリング嵌合溝を刻設し、該挿着部の外周部に刻設されたスプリング嵌合溝にリング形状で一カ所に切欠部を有するリング型スプリングを嵌着させ、該リング型スプリングが切欠部を介して前記スプリング嵌合溝内で円周方向のバネ作用をするのを利用して、前記フィルターの挿着部がカメラの撮影用レンズ鏡筒の最前部内径側に挿着されたときリング型スプリング働いて最前部内側に係着してフィルターが撮影用レンズ鏡筒最前部に装着され、該フィルターの取り外しは前記挿着部のリング型スプリングの押圧力に対向した力で抜脱するよう構成することにより、フィルターをカメラの撮影用レンズ鏡筒の最前部にワンタッチで着脱自在に装着可能にしたものである。
【０００８】
【発明の実施の形態】
以下、本発明の実施の形態を図面に基づいて具体的に説明する。
図１はカメラの撮影用レンズ鏡筒の最前部に本発明のレンズアタッチメント着脱機構を具備したフィルターを装着した例を示す要部断面図、図２は図１に用いられるリング型スプリングの形状説明図をそれぞれ示している。
【０００９】
図１乃至図２において、１はカメラの撮影用レンズ鏡筒、２は該レンズ鏡筒の最前部、３はレンズ鏡筒の最前部に螺設されたレンズアタッチメント装着用の雌ネジ部である。
【００１０】
前記雌ネジ部３にはフィルター４を挟持したフィルター外枠５と一体化されて形成された挿着部６が設けられており、該挿着部６はカメラの撮影用レンズ鏡筒１の最前部２の内径側雌ネジ部３に挿着可能な外径を有し、該挿着部６の外周部７にはスプリング嵌合溝８刻設されている。
【００１１】
而してスプリング嵌合溝８にはリング形状で一カ所に切欠部９を有するリング型スプリング１０が嵌着されており、該リング型スプリング１０が切欠部９を介して前記スプリング嵌合溝８内で円周方向のバネ作用をするのを利用して、前記フィルター４の挿着部６がカメラの撮影用レンズ鏡筒１の内径側雌ネジ部３に装着されたときリング型スプリング１０が働いてフィルター４の挿着部６が内径側雌ネジ部３に係着される。
尚、図２は前述したリング型スプリング１０と該リング型スプリング１０の一カ所に設けられる切欠部９の形状を示している。
【００１２】
斯くして、挿着部６に刻設された嵌合溝８に嵌着されたリング型スプリング１０からなる着脱機構は、フィルター４の挿着部６がカメラの撮影用レンズ鏡筒２の最前部２の内径雌ネジ部３に挿着するときは前記リング型スプリング１０がレンズ鏡筒２の内径雌ネジ部３端部に突き当たり、リング型スプリング１０を圧縮してスプリング嵌合溝８内に埋没せしめ、該埋没した分の反発力にて内径ネジ部３内に係着してフィルター４をレンズ鏡筒１の最前部２に装着できる。そして該装着操作はワンタッチの嵌合操作となる。
【００１３】
また、前記装着されたフィルター４の取り外しは、フィルター４の外枠５を抜脱することによりワンタッチで、簡単、且つ容易に行える。
【００１４】
而して、本発明は他の実施様態として、カメラレンズの他のアタッチメントであるフードの着脱機構や、レンズキャップの着脱機構として実施しても有効であり、図３はその一例としてレンズフードの実施例に基づき説明する。
【００１５】
図３において、１１はフード本体、６は該フード本体１１と一体化して設けられた挿着部、７は挿着部６に設けられた外周部で有り、該挿着部６の外周部７にはスプリング嵌合溝８が刻設されており、該スプリング嵌合溝８にはリング型スプリング１０が嵌着されている。
【００１６】
斯くして、図３の実施様態は、レンズ鏡筒１の最前部２にレンズアタッチメントのフード本体１１を、装着した例を示し、その作用は図１乃至図２にて説明した実施様態と同様となり、該フード本体１１の着脱はワンタッチでおこなえる。
また、上述の着脱機構は、レンズキャップの着脱機構としても利用でき、その利用範囲は、幅の広いものである。
【００１７】
【発明の効果】
而して、本発明は従来の着脱機構が、雌ネジと雄ネジの螺合による装着操作で、雌ネジと雄ネジの初めの螺合操作が、意外と手間取るものであり、独特の勘と操作慣れが必要で、該初めの螺合操作を誤ると撮影用レンズとアタッチメントのネジ山を壊してしまうおそれがあったものを解消したと云える。
【００１８】
また、従来の着脱機構が、ネジ部による螺着で、該ネジ部のネジピッチが細かいため装着するレンズアタッチメントを何回も回転させて所定位置に装着したり、所定位置での螺着の加減を間違えるとネジ部が圧着されてしまい取り外しに苦労するということも、なくすことができた　。
【００１９】
そして、本発明によれば、撮影現場にあっても、ワンタッチで簡単、且つ容易にレンズアタッチメントを着脱可能なカメラのレンズアタッチメント着脱機構を提供することができたのであり、本発明実施による効果は大である。
【図面の簡単な説明】
【図１】カメラレンズに本発明の着脱機構を具備したフィルターを装着した例を示す要部切欠断面図である。
【図２】リング型スプリングの形状説明図である。
【図３】他の実施例を示す説明図である。
【符号の説明】
１　カメラの撮影用レンズ鏡筒
２　レンズ鏡筒の最前部
３　雌ネジ部
４　フィルター
５　フィルター外枠
６　挿着部
７　外周部
８　スプリング嵌合溝
９　切欠部
１０　リング型スプリング
１１　フード本体
【図１】
2004109719.tif 000003
【図２】
2004109719.tif 000004
【図３】
2004109719.tif 000005